(57)【要約】【課題】全体として美観に優れた門ユニット及びフェンスユニットを提供する。【解決手段】区画された敷地の内外の出入り口に設けられた一対の門柱と、前記門柱に旋回自在に支持された門扉とを有する門ユニットであって、前記門柱は前記敷地外側の部位に門柱装飾部材を備え、前記門扉は前記敷地外側の部位に門扉装飾部材を備え、前記門柱装飾部材と前記門扉装飾部材とは連続した模様を構成する。【選択図】図１
2009228279.tif 000002
【特許請求の範囲】
【請求項１】
区画された敷地の内外の出入り口に設けられた一対の門柱と、前記門柱に旋回自在に支持された門扉とを有する門ユニットであって、
前記門柱は前記敷地外側の部位に門柱装飾部材を備え、
前記門扉は前記敷地外側の部位に門扉装飾部材を備え、
前記門柱装飾部材と前記門扉装飾部材とは連続した模様を構成することを特徴とする門ユニット。
【請求項２】
請求項１に記載の門ユニットであって、
前記連続した模様は、縦材が所定の規則性にて配置されて構成された縦縞であることを特徴とする門ユニット。
【請求項３】
区画された敷地の内外の出入り口に設けられた一対の門柱と、前記門柱に旋回自在に支持された門扉と、前記門扉と連なって前記敷地の内外を仕切るフェンスと、を有するフェンスユニットであって、
前記門扉は前記敷地外側の部位に門扉装飾部材を備え、
前記門柱及び前記フェンスは前記敷地外側の部位に門扉外装飾部材を備え、
前記門扉装飾部材と前記門扉外装飾部材とは連続した模様を構成することを特徴とするフェンスユニット。
【請求項４】
請求項３に記載のフェンスユニットであって、
前記門扉外装飾部材は、前記門柱の前記敷地外側の部位に備えられた門柱装飾部材と、前記フェンスの前記敷地外側の部位に備えられたフェンス装飾部材と、を有していることを特徴とするフェンスユニット。
【請求項５】
請求項３または請求項４に記載のフェンスユニットであって、
前記連続した模様は、縦材が所定の規則性にて配置されて構成された縦縞であることを特徴とするフェンスユニット。
【発明の詳細な説明】
【技術分野】
【０００１】
本発明は、門柱と、門柱に旋回自在に支持された門扉とを有する門ユニット及びフェンスユニットに関する。
【背景技術】
【０００２】
門柱と、門柱に旋回自在に支持された門扉とを有する門ユニット及びフェンスユニットとしては、例えばフェンスと左右方向に複数連ねて立設し、その適宜な位置に門扉を施した外柵が知られている（例えば、特許文献１参照）。このような外柵は、適宜間隔を隔てて複数配置された支柱間に鋳物パネルの両端がそれぞれ固定され、複数の鋳物パネルが連なるように配置されてフェンスが構成され、フェンスの適宜位置の支柱間に互いに間隔を隔てて配置された１対の門柱に、吊元框が設けられた同形状の鋳物パネルがヒンジを介して固定されて門扉が構成されている。
【特許文献１】特開平１１−２５６９６４号公報
【発明の開示】
【発明が解決しようとする課題】
【０００３】
上記従来外柵は、フェンスを構成する鋳物パネルと、門扉を構成する鋳物パネルとが、同形状なので、外柵全体として一見統一された模様をなすようにも思われるが、各鋳物パネル間には支柱が配置され、また門扉の脇には門柱も隣接して外部に露出している。このため、フェンスとしては鋳物パネルの幅毎に模様が途切れてしまい、全体として一体感に欠けるという課題がある。また、区画された領域を囲む外構として、全体的にさらにデザイン的に美観に優れた門ユニット、及び、フェンスユニットが求められている。  
本発明は、かかる課題に鑑みてなされたものであり、その目的とするところは、全体として美観に優れた門ユニット及びフェンスユニットを提供することにある。
【課題を解決するための手段】
【０００４】
かかる目的を達成するために本発明の門ユニットは、区画された敷地の内外の出入り口に設けられた一対の門柱と、前記門柱に旋回自在に支持された門扉とを有する門ユニットであって、前記門柱は前記敷地外側の部位に門柱装飾部材を備え、前記門扉は前記敷地外側の部位に門扉装飾部材を備え、前記門柱装飾部材と前記門扉装飾部材とは連続した模様を構成することを特徴とする門ユニットである。  
このような門ユニットによれば、一対の門柱の敷地外側の部位に備えられた門柱装飾部材と、門扉の敷地外側の部位に備えられた門扉装飾部材とが連続した模様を構成するので、敷地外側から見た際には、門ユニット全体が統一されて連続する模様を構成する。このため、門ユニット全体として美観に優れた門ユニットを提供することが可能である。
【０００５】
かかる門ユニットであって、前記連続した模様は、縦材が所定の規則性にて配置されて構成された縦縞であることが望ましい。  
このような門ユニットによれば、門ユニットの敷地外側に所定の規則性にて配置された縦材により縦格子が形成され、縦格子により門ユニット全体が規則正しい縦縞の模様に見えるので、統一され美観に優れた門ユニットを提供することが可能である。
【０００６】
また、区画された敷地の内外の出入り口に設けられた一対の門柱と、前記門柱に旋回自在に支持された門扉と、前記門扉と連なって前記敷地の内外を仕切るフェンスと、を有するフェンスユニットであって、前記門扉は前記敷地外側の部位に門扉装飾部材を備え、前記門柱及び前記フェンスは前記敷地外側の部位に門扉外装飾部材を備え、前記門扉装飾部材と前記門扉外装飾部材とは連続した模様を構成することを特徴とするフェンスユニットである。  
このようなフェンスユニットによれば、門扉の敷地外側の部位に備えられた門扉装飾部材と、門柱及びフェンスの敷地外側の部位に備えられた門扉外装飾部材とが連続した模様を構成するので、敷地外側から見た際には、フェンスユニット全体が統一された模様を構成する。このため、フェンスユニット全体として美観に優れたフェンスユニットを提供することが可能である。
【０００７】
かかるフェンスユニットであって、前記門扉外装飾部材は、前記門柱の前記敷地外側の部位に備えられた門柱装飾部材と、前記フェンスの前記敷地外側の部位に備えられたフェンス装飾部材と、を有していることが望ましい。  
このようなフェンスユニットによれば、門柱とフェンスとは別部材なので、一体である門扉外装飾部材がフェンスと門柱との敷地外側の部位に備えられる場合より、各々別々の門柱装飾部材とフェンス装飾部材とが門柱とフェンスとにそれぞれ別個に取り付ける方が取り付けが容易である。
【０００８】
かかるフェンスユニットであって、前記連続した模様は、縦材が所定の規則性にて配置されて構成された縦縞であることが望ましい。  
このようなフェンスユニットによれば、フェンスユニットの敷地外側に所定の規則性にて配置された縦材により縦格子が形成され、縦格子によりフェンスユニット全体が規則正しい縦縞の模様に見えるので、全体が統一されて連続する模様の美観に優れたフェンスユニットを提供することが可能である。
【発明の効果】
【０００９】
本発明によれば、全体としてデザイン的に美観に優れた門ユニット及びフェンスユニットを提供することができるという効果がある。
【発明を実施するための最良の形態】
【００１０】
以下、本発明の一実施形態に係る門ユニット及びフェンスユニットについて図面を参照して説明する。
【００１１】
本実施形態の門ユニット１０は、区画された敷地、例えば建物が建てられている敷地と敷地外とを仕切り、敷地への出入り口となる門に設けられている。
【００１２】
以下の説明においては、区画された敷地の外側から内側に向かって左右となる方向を見付け方向、敷地の内外となる方向を見込み方向、上下となる方向を上下方向として説明する。
【００１３】
本実施形態の門ユニット１０は、図１〜図４に示すように、門の両脇に互いに間隔を隔てて地面１５に立設された一対の門柱１２、１３と、敷地外側からみて左側に配置された左門柱１２にヒンジ１４を介して旋回時材に設けられた門扉２０と、門柱１２、１３の敷地外側の部位１２ａ、１３ａに備えられた門柱装飾部材３０と、門扉２０の敷地外側の部位２０ａに備えられた門扉装飾部材３２と、を有している。
【００１４】
門柱１２、１３は、中空角材状の押出形材である、敷地内側の面１２ｂ、１３ｂには見付け方向の中央に、上下方向に沿ってスリット１２ｃ、１３ｃと、敷地内側の空間とスリット１２ｃ、１３ｃにて連通されヒンジ１４、及び、門扉２０を閉止状態に保つためのタッチ錠１７の一方の部材１７ａを固定するためのプレートナット１９が収容される収容部１２ｄ、１３ｄと、を有している。また、右門柱１３には、門扉２０の開閉操作を行うために門ユニット１０に備えられたタッチ錠１７の、門扉２０側に設けられたハンドル１７ｃ側の部位１７ｂから突出するラッチ１７ｄが挿入される孔（不図示）が形成されている。
【００１５】
門扉２０は、門柱１２、１３の間に配置されており、見付け方向に間隔を隔てて配置される一対の縦框２１と、縦框２１の上端部同士及び下端部同士を連結する横框２２とで矩形状に形成されている。左側の縦框２１ａは、上下に間隔を隔てた２箇所にてヒンジ１４を介して左門柱１２に旋回自在に取り付けられている。右側の縦框２１ｂは、門扉２０を閉じた状態にて、右側面２１ｃが右門柱１３の左側面１３ｅと対向するように配置され、上下方向の中央より少し上側に偏らせてタッチ錠１７が設けられている。
【００１６】
タッチ錠１７は、ハンドル１７ｃを軽く押す、または引くことによりラッチ１７ｄが見付け方向に移動して右門柱１３に設けられた孔に挿抜されるラッチ錠であり、ハンドル１７ｃが設けられてラッチ１７ｄが収容される部位が右の縦框２１ｂに設けられている。
【００１７】
門柱装飾部材３０と門扉装飾部材３２とは、いずれも中空角材状に形成された押出形材でなる縦材３０ａが上下方向に沿わされると共に、見付け方向に所定の規則性、ここではほぼ等間隔に配置され、上端部と下端部とが横材３０ｂにて固定されて一体化されている。
【００１８】
本実施形態では、門柱装飾部材３０は、２本の縦材３０ａが、上下の端部を横材３０ｂに敷地内側からねじにて固定されて構成されている。門扉装飾部材３２は、門柱装飾部材３０の２本の縦材３０ａの間隔とほぼ同じ間隔にて、８本の縦材３０ａが上下の横框２２ａ間に亘るように横材３０ｂに敷地内側からねじにて固定され、右の縦框２１ｂに設けられたタッチ錠１７のハンドル１７ｃの上下に位置する部位では、３本の縦材３０ｃ、３０ｄが、ハンドル１７ｃの上側と下側とに設けられ、上側３本の縦材３０ｃの下端部と、下側３本の縦材３０ｄの上端部とは、それぞれ短い横材３０ｅに敷地内側からねじにて固定されている。
【００１９】
また、左側の門柱装飾部材３０の右側の縦材３０ａと門扉装飾部材３２の最も左側の縦材３０ａとの間隔とほぼ等しくなるように、右側の門柱装飾部材３０の左側の縦材３０ａと門扉装飾部材３２の最も右側の縦材３０ｃ、３０ｄとの間隔とほぼ等しくなるように、２つの門柱装飾部材３０と門扉装飾部材３２とは配置されている。このため、門ユニット１０を敷地外側から見た際には、門ユニット１０の全域にほぼ等間隔にて配置された縦材３０ａ、３０ｃ、３０ｄにより、門ユニット１０全体として連続した模様が構成される。
【００２０】
本実施形態の門ユニット１０によれば、一対の門柱１２、１３の敷地外側の部位１２ａ、１３ａに備えられた門柱装飾部材３０と、門扉２０の敷地外側の部位２０ａに備えられた門扉装飾部材３２とが連続した模様を構成するので、敷地外側から見た際には、門ユニット１０全体に統一されて連続する模様が構成される。このため、門ユニット１０全体として美観に優れた門ユニット１０を提供することが可能である。
【００２１】
特に、本実施形態の門ユニット１０は、門柱装飾部材３０と門扉装飾部材３２とが有する縦材３０ａが見付け方向において等間隔に配置されているので、縦材３０ａにより門ユニット１０全体に縦格子が形成され、縦格子により門ユニット１０全体が規則正しい縦縞の模様に見えるので、より美観に優れた門ユニット１０を提供することが可能である。
【００２２】
図５〜図８は、フェンスユニットの一例を示す正面図である。以下の説明において、上記門ユニット１０と同じ部材には同一符号を付して、その説明を省略する。
【００２３】
フェンスユニット５０は、上述した門ユニット１０と同様の一対の門柱１２、１３と、左門柱１２にヒンジ１４を介して旋回時材に設けられた門扉２０と、門扉２０の敷地外側の部位に備えられた門扉装飾部材３２と、門扉２０と連なって敷地の内外を仕切るフェンス５２と、門柱１２及びフェンス５２の敷地外側の部位に跨って設けられた門扉外装飾部材５８と、を有している。
【００２４】
フェンス５２は、見付け方向に沿って互いに間隔を隔てて立設された複数の支柱６０と、支柱６０の上端と地面１５近傍とで複数の支柱６０間に架け渡された横桟６２とを有している。フェンス５２は、門柱１２、１３の右方向及び左方向にそれぞれ連なって設けられており、右門柱１３の右側に形成されるフェンス５２の上下の横桟６２の左端は右門柱１３に、左門柱１２の左側に形成されるフェンス５２の上下の横桟６２の右端は左門柱１２に、それぞれ当接されている。
【００２５】
フェンスユニット５０が有する門扉２０には、上述した門ユニット１０の門扉２０と同様に、タッチ錠１７のハンドル１７ｃと干渉しないように除かれて、ほぼ等間隔に配置された縦材３０ａ、３０ｃ、３０ｄが複数設けられた門扉装飾部材３２が取り付けられている。
【００２６】
また、フェンス５２の門扉外装飾部材５８は、門扉装飾部材３２と同様の所定の規則性、すなわち見付け方向にほぼ等間隔に配置された縦材３０ａが複数設けられ、上端部と下端部とが横材３０ｂにて固定されて一体化されている。
【００２７】
本フェンスユニット５０の場合には、門柱１２、１３の敷地外側には門柱装飾部材３０が設けられることなく、門扉外装飾部材５８が門柱１２、１３の敷地外側の領域からフェンス５２の敷地外側の領域に跨って設けられている。そして、門扉装飾部材３２と門扉外装飾部材５８とが隣接する位置では、互いに隣接する門扉装飾部材３２の縦材３０ａ、３０ｃ、３０ｄと門扉外装飾部材５８の縦材３０ａとが、その他の縦材３０ａの間隔とほぼ等しくなるように配置されている。このため、フェンスユニット５０を敷地外側から見た際には、フェンスユニット５０の全域にほぼ等間隔にて配置された縦材３０ａにより、全体として連続した模様が構成される。
【００２８】
本実施形態においては、門扉外装飾部材５８が、門柱１２、１３の敷地外側の領域からフェンス５２の敷地外側の領域に跨って設けられる例について説明したが、これに限るものではない。例えば、門扉外装飾部材５８を、門柱１２、１３の敷地外側の部位１２ａ、１３ａに備えられる上述した門柱装飾部材３０と、フェンス５２の敷地外側の部位５２ａに備えられるフェンス装飾部材（不図示）とにて構成しても良い。この場合には、門扉装飾部材３２、門柱装飾部材３０、フェンス装飾部材が隣接する部位において、隣接する縦材３０ａ間の間隔が、他の縦材３０ａの間隔とほぼ同じになるように配置する。
【００２９】
また、門柱１２、１３の敷地外側の部位に備えられる門柱装飾部材３０を、フェンス５２の敷地外側の部位に見付け方向に連ねて配置してもよい。この場合には、隣接する門柱装飾部材３０同士の縦材３０ａが、他の縦材３０ａ同士の間隔とほぼ同じになるように配置する。
【００３０】
図９、図１０は、フェンスユニットの変形例を示している。この変形例のフェンスユニット７０は、フェンス８０の高さが門扉７３より高く、また、門扉７３が親子タイプの開き扉であることが、前記フェンスユニット５０と相違する。
【００３１】
変形例のフェンスユニット７０は、上述したフェンスユニット５０と同様に一対の門柱７１、７２と、左門柱７１にヒンジ１４を介して旋回時材に設けられた左側門扉７３ａと、右門柱７２にヒンジ１４を介して旋回時材に設けられた右側門扉７３ｂと、左側門扉７３ａと右側門扉７３ｂの敷地外側の部位７３ｄに備えられた左門扉装飾部材７４及び右門扉装飾部材７６と、左側門扉７３ａと右側門扉７３ｂとに連なって敷地の内外を仕切るフェンス８０と、門柱７１、７２及びフェンス８０の敷地外側の部位７１ａ、７２ａ、８０ａに跨って設けられた門扉外装飾部材７９と、を有している。
【００３２】
フェンス８０は、地面１５に立設され、見付け方向に沿って互いに間隔を隔てて配置された複数の支柱７５と、支柱７５上端部にて互いに対向する面７５ａ間に架け渡された上横枠７７と、門扉７３ａ、７３ｂが設けられる支柱７５間を除き、支柱７５の地面１５近傍にて支柱７５の互いに対向する面７５ａ間に架け渡された下横枠７８とを有している。支柱７５の高さは、門扉７３ａ、７３ｂの高さより十分に高い位置まで延出されており、門扉７３の直ぐ上方に位置する部位には、支柱７５間を見付け方向に繋ぐ中枠８２が設けられている。このため、本実施形態のフェンス８０は、各支柱７５と、門扉７３が設けられていない支柱７５間、及び、門扉７３の上方の支柱７５間に架け渡された上横枠７７、下横枠７８、中枠８２とで構成されている。
【００３３】
門柱７１、７２は、門扉７３が設けられる位置の左右にそれぞれ配置される支柱７５の互いに対向する面側に固定されている。門柱７１、７２の、敷地内側の面には門扉７３を旋回自在に支持するヒンジ１４の取付部材８４が設けられている。このため門扉７３ａ、７３ｂは、ヒンジ１４と取付部材８４とを介して門柱７１、７２に旋回自在に固定されている。
【００３４】
門扉７３の横框７３ｃには、中空角材状の押出形材でなる縦材３０ａが上下方向に沿わされると共に、見付け方向に所定の規則性（ここではほぼ等間隔）を有して配置されねじにて固定されている。本変形例の場合にも、縦材３０ａは開閉操作部８６と干渉しないように、開閉操作部８６の領域には存在しない。
【００３５】
変形例のフェンスユニット７０の場合にも、門柱７１、７２の敷地外側には門柱装飾部材が設けられることなく、門扉外装飾部材７９が門柱７１、７２の敷地外側の領域からフェンス８０の敷地外側の領域に跨って設けられている。そして、２枚の門扉装飾部材７４、７６と門扉外装飾部材７９とが隣接する位置では、それぞれ門扉装飾部材７４、７６の縦材３０ａと門扉外装飾部材７９の縦材３０ａとが、その他の縦材３０ａの間隔とほぼ等しくなるように配置されている。このため、フェンスユニット７０を敷地外側から見た際には、フェンスユニット７０の全域にほぼ等間隔にて配置された縦材３０ａにより、全体として連続した模様が構成される。
【００３６】
本実施形態のフェンスユニット５０、７０によれば、門扉７３の敷地外側の部位に備えられた門扉装飾部材７４と、門柱１２、１３、７１、７２及びフェンス５２、８０の敷地外側の部位５２ａ、８０ａに備えられた門扉外装飾部材５８、７９とが連続した模様を構成するので、敷地外側から見た際には、フェンスユニット５０、７０全体が連続した模様を構成する。このため、フェンスユニット５０、７０全体として美観に優れたフェンスユニット５０、７０を提供することが可能である。
【００３７】
特に、本実施形態のフェンスユニット５０、７０は、門扉装飾部材３２、７４、７６と門扉外装飾部材５８、７９とが有する縦材３０ａが見付け方向においてほぼ等間隔に配置されているので、縦材３０ａによりフェンスユニット５０、７０全体に縦格子が形成され、縦格子によりフェンスユニット５０、７０全体が規則正しい縦縞の模様に見えるので、統一され美観に優れたフェンスユニット５０、７０を提供することが可能である。
【００３８】
上記実施形態においては、フェンス５２、８０と門柱１２、１３、７１、７２との敷地外側に単一の門扉外装飾部材５８、７９を備えた例について説明したが、門扉外装飾部材５８、７９は、門柱の敷地外側の部位に備えられた門柱装飾部材と、フェンスの敷地外側の部位に備えられたフェンス装飾部材とで構成しても良い。
【００３９】
上記実施形態においては、装飾部材３０、３２、５８、７４、７６、７９が有する縦材３０ａにより門ユニット１０及びフェンスユニット５０、７０全体の模様が構成される例について説明したが、これに限るものではない。例えば、門柱装飾部材３０、門扉装飾部材３２、７４、７６、門扉外装飾部材５８、７９のいずれもが所定の規則性を有するように配置された横材を備え、横材により門ユニット１０及びフェンスユニット５０、７０全体の模様が構成されるものでもよい。この場合には、門ユニット１０及びフェンスユニット全体が、所定の規則性にて配置された横材により横格子が形成され、横格子により門ユニット及びフェンスユニット全体が規則正しい横縞の模様に見えるので、統一され美観に優れた門ユニット及びフェンスユニットを提供することが可能である。
【００４０】
上記実施形態においては、装飾部材に設けられる縦材３０ａの規則性を等間隔としたが、所定の周期にて間隔を相違させてもよい。また、装飾部材に設けられる縦材及び横材の数も例示であって、上記実施形態に限るものではない。また、装飾部材は縦材３０ａや横材３０ｂのような棒状の部材に限らず、表面に模様が施された面材であっても良い。
【００４１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４２】
【図１】本実施形態に係る門ユニットの正面図である。
【図２】門ユニットの構成を説明するための分解図である。
【図３】本実施形態に係る門ユニットの平面図である。
【図４】門ユニットの構成を説明するための分解平面図である。
【図５】本実施形態に係るフェンスユニットの正面図である。
【図６】フェンスユニットの構成を説明するための分解図である。
【図７】本実施形態に係るフェンスユニットの平面図である。
【図８】フェンスユニットの構成を説明するための分解平面図である。
【図９】フェンスユニットの変形例を示す正面図である。
【図１０】図９のＡ−Ａ断面図である。
【図１１】図９のＢ−Ｂ断面図である。
【符号の説明】
【００４３】
１０  門ユニット、１２  左門柱、１２ａ  左門柱の敷地外側の部位、
１３  右門柱、１３ａ  右門柱の敷地外側の部位、２０  門扉、
２０ａ  門扉の敷地外側の部位、３０  門柱装飾部材、３２  門扉装飾部材、
５０  フェンスユニット、５２  フェンス、５２ａ  フェンスの敷地外側の部位、
５８  門扉外装飾部材、７０  フェンスユニット、７１  左門柱、
７１ａ  左門柱の敷地外側の部位、７２  右門柱、
７２ａ  右門柱の敷地外側の部位、７３  門扉、７３ａ  左側門扉、
７３ｂ  右側門扉、７４  左門扉装飾部材、７６  右門扉装飾部材、
７９  門扉外装飾部材、８０  フェンス、８０ａ  フェンスの敷地外側の部位
【図１】
2009228279.tif 000003
【図２】
2009228279.tif 000004
【図３】
2009228279.tif 000005
【図４】
2009228279.tif 000006
【図５】
2009228279.tif 000007
【図６】
2009228279.tif 000008
【図７】
2009228279.tif 000009
【図８】
2009228279.tif 000010
【図９】
2009228279.tif 000011
【図１０】
2009228279.tif 000012
【図１１】
2009228279.tif 000013